【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
装置の電源オフの際にはレンズ鏡筒を沈胴するレンズ鏡筒駆動手段と、撮影した画像データを記憶しておく記憶手段と、前記記憶手段に記憶した画像データを記録媒体に記録する画像データ記録手段と、バッテリーの電圧レベルを検出する検出手段とを有し、
前記レンズ鏡筒を沈胴した後前記記憶手段に記憶した画像データを前記記録媒体に記録する第１のモードと、前記記憶手段に記憶した画像データを前記記録媒体に記録した後前記レンズ鏡筒を沈胴する第２のモードとを前記検出手段の検出結果に応じて切り替えるようにしたことを特徴とする撮像装置。
【請求項２】
前記切り替えは、前記電圧レベルと第１の電圧レベルとの比較結果により行い、前記バッテリーの電圧レベルが前記第１の電圧レベルより低い第２の電圧レベル以下になった場合には、前記記憶手段に記憶した画像データを前記記録媒体に記録するとともに、前記レンズ鏡筒を沈胴し、その後、装置の電源をオフするようにしたことを特徴とする請求項１に記載の撮像装置。
【請求項３】
装置の電源オフの際にはレンズ鏡筒を沈胴するレンズ鏡筒駆動手段と、撮影した画像データを記憶しておく記憶手段と、前記記憶手段に記憶した画像データを記録媒体に記録する画像データ記録手段と、前記装置の電源オフを指示するための電源オフ指示手段と、前記装置の駆動力を供給するバッテリーと、前記バッテリーの電圧が第１の電圧レベル以下にあるか否かを検出する検出手段とを有し、
前記記憶手段に記憶した画像データを記録媒体に記録の際に、電源オフが指示されたときには、前記バッテリーの電圧が第１の電圧レベル以下でない場合には、レンズ鏡筒を沈胴した後に、前記記憶手段に記憶されている画像データを記録媒体に記録するように制御する第１の制御手段と、
前記画像データ記録手段により、前記記憶手段に記憶されていた画像データが前記記録媒体に記録されたら、前記装置のオフするように制御する第２の制御手段とを有することを特徴とする撮像装置。
【請求項４】
前記第１の制御手段は、前記記憶手段に記憶した画像データを前記記録媒体に記録中に、電源オフを指示したときに、前記レンズ鏡筒を沈胴中に前記レンズ鏡筒の駆動エラーが発生した場合には、前記レンズ鏡筒の駆動を停止し、前記記憶手段に記憶した画像データを記録媒体に記録するように制御し、
前記第２の制御手段は、前記記憶手段の画像データが前記記録媒体に記録されたら、前記装置の電源をオフすることを特徴とする請求項３に記載の撮像装置。
【請求項５】
前記第１の制御手段は、前記記憶手段に記憶した画像データを記録媒体に記録の際に、電源オフの指示がされたときに、前記検出手段により、前記バッテリー電圧が前記第１の電圧レベル以下となったことが検出された場合には、前記記憶手段に記憶した画像データを前記記録媒体に記録した後に、前記レンズ鏡筒を沈胴するように制御し、
前記第２の制御手段は、前記レンズ鏡筒を沈胴したら、前記装置の電源をオフすることを特徴とする請求項３または４に記載の撮像装置。
【請求項６】
前記検出手段により、前記バッテリー電圧が第１の電圧レベル以下となったことが検出された場合には、警告を表示手段に表示する警告手段を有することを特徴とする請求項３〜５の何れか１項に記載の撮像装置。
【請求項７】
装置の電源オフの際にはレンズ鏡筒を沈胴するレンズ鏡筒駆動手段と、撮影した画像データを記憶しておく記憶手段と、前記記憶手段に記憶した画像データを記録媒体に記録する画像データ記録手段と、前記装置の電源オフを指示するための電源オフ指示手段と、前記装置の駆動力を供給するバッテリーと、前記バッテリーの電圧が第１の電圧レベル以下に低下していないか検出する検出手段とを有し、
前記記憶手段に記憶した画像データを記録媒体に記録の際に、電源オフの指示がされたときに、前記バッテリー電圧が第１の電圧レベル値以下となったことが検出された場合には、前記記憶手段に記憶した画像データを記録媒体に記録した後に、前記レンズ鏡筒を沈胴するように制御する電源第１の制御手段と、
前記レンズ鏡筒駆動手段により、前記レンズ鏡筒が沈胴したら、前記装置の電源をオフするように制御する第２の制御手段とを有することを特徴とする撮像装置。
【請求項８】
前記検出手段によって、前記バッテリー電圧が第１の電圧レベル値以下となったことが検出された場合には、警告を表示手段に表示する警告手段を有することを特徴とする請求項７に記載の撮像装置。
【請求項９】
装置の電源オンの際にはレンズ鏡筒を繰り出し、前記装置の電源オフの際には前記レンズ鏡筒を収容位置に沈胴するレンズ鏡筒駆動手段と、撮影した画像データを記憶しておく記憶手段と、前記記憶手段に記憶した画像データを記録媒体に記録する画像データ記録手段と、前記装置の電源オフを指示するための電源オフ指示手段と、前記装置の各部へ動作電源を供給するバッテリーと、前記バッテリーの電圧が所定レベル値以下に低下していないか検出する電圧低下検出手段とを有し、
前記電圧低下検出手段による検出の結果、バッテリー電圧の低下警告を表示手段に表示する電圧レベルを第１の電圧レベルと、及び前記第１の電圧レベルよりも低い電圧レベルであって、前記記憶手段に記憶した画像データを前記画像データ記録手段によって記録媒体に全て記録し、かつ前記レンズ鏡筒駆動手段により前記レンズ鏡筒を収容位置に沈胴させるのに最低限可能な電圧レベルである第２の電圧レベルとが設定されているとともに、
前記記憶手段に記憶した画像データを前記画像データ記録手段によって記録媒体に記録中に、電源オフ指示手段によって電源オフが指示されたら、前記電圧低下検出手段により、前記バッテリー電圧が第１の電圧レベル以下であることが検出されない場合には、前記レンズ鏡筒駆動手段によりレンズ鏡筒を収容位置に沈胴した後、前記記憶手段に記憶した画像データを前記画像データ記録手段によって前記記録媒体に全て記録するように動作制御する第１の動作制御、
前記記憶手段に記憶した画像データを前記画像データ記録手段によって記録媒体に記録中に、電源オフ指示手段によって電源オフが指示されたら、前記電圧低下検出手段により、前記バッテリー電圧が第１の電圧レベル以下であることが検出された場合には、前記記憶手段に記憶した画像データを前記画像データ記録手段によって記録媒体に全て記録した後、前記レンズ鏡筒駆動手段により前記レンズ鏡筒を収容位置に沈胴させるように動作制御する第２の動作制御、
前記記憶手段に記憶した画像データを前記画像データ記録手段によって記録媒体に記録中に、前記電圧低下検出手段により、前記第２の電圧レベル以下であることが検出されたら、前記記憶手段に記憶した画像データを前記画像データ記録手段によって記録媒体に全て記録した後、前記レンズ鏡筒駆動手段により前記レンズ鏡筒を収容位置に沈胴させるように制御する第３の動作制御を実行する電源オフ時動作制御手段と、
前記電源オフ時動作制御手段により行われる全ての動作が終了したら、前記装置の各部へ供給する電源を遮断するように制御する電源遮断制御手段とを有することを特徴とする撮像装置。
【請求項１０】
装置の電源オフの際にはレンズ鏡筒を沈胴するレンズ鏡筒駆動手段と、撮影した画像データを記憶しておく記憶手段と、前記記憶手段に記憶した画像データを記録媒体に記録する画像データ記録手段と、バッテリーの電圧レベルを検出する検出手段と、前記検出手段の結果に基づいてバッテリーの状態を表示する表示手段とを有し、
装置の電源オフの際には、直ちに前記レンズ鏡筒を沈胴する第１のモードと、前記記憶手段に記憶した画像データを前記記録媒体に記録した後前記レンズ鏡筒を沈胴する第２のモードとを、前記表示手段のバッテリーの状態表示に連動して切り替えるように動作することを特徴とする撮像装置。
【請求項１１】
装置の電源オフの際にはレンズ鏡筒を沈胴するレンズ鏡筒駆動手段と、撮影した画像データを記憶しておく記憶手段と、前記記憶手段に記憶した画像データを記録媒体に記録する画像データ記録手段と、バッテリーの電圧レベルを検出する検出手段とを有する撮像装置における撮像方法であって、
前記レンズ鏡筒を沈胴した後前記記憶手段に記憶した画像データを前記記録媒体に記録する第１のモードと、前記記憶手段に記憶した画像データを前記記録媒体に記録した後前記レンズ鏡筒を沈胴する第２のモードとを前記検出手段の検出結果に応じて切り替えるようにしたことを特徴とする撮像方法。
【請求項１２】
装置の電源オンの際にはレンズ鏡筒を繰り出し、装置の電源オフの際にはレンズ鏡筒を収容位置に沈胴するレンズ鏡筒駆動手段と、撮影した画像データを記憶しておく記憶手段と、前記記憶手段に記憶した画像データを記録媒体に記録する画像データ記録手段と、バッテリーの電圧レベルを検出する検出手段とを有する撮像装置における撮像方法をコンピュータに実行させるプログラムであって、
前記レンズ鏡筒を沈胴した後前記記憶手段に記憶した画像データを前記記録媒体に記録する第１のモードと、前記記憶手段に記憶した画像データを前記記録媒体に記録した後前記レンズ鏡筒を沈胴する第２のモードとを前記検出手段の検出結果に応じて切り替えるようにする制御をコンピュータに実行させることを特徴とするコンピュータプログラム。